(57)【要約】  【課題】  （１）反応領域内の固相表面に対する核酸・インターカレーターなどの非特異的吸着の防止、（２）ハイブリダイゼーションの検出に用いるインターカレーターの結合特性の長時間保持、（３）ハイブリダイゼーション検出の際の洗浄工程の省略。  【解決手段】  反応領域Ｒ内に、塩を含むＨＥＰＥＳ緩衝液Ｓを貯留又は保持させる相互作用検出方法を提供する。緩衝液Ｓの塩濃度を調整することにより、正に帯電した固相表面１１ａに対する、核酸（Ｄ、Ｔ）、インターカレーターの非特異的吸着を防止する。また、反応領域Ｒと、反応領域Ｒ内に貯留又は保持され、塩を含むＨＥＰＥＳ緩衝液Ｓを含有する媒質Ｍと、を少なくとも備える相互作用検出部１、該相互作用検出部１を備えるＤＮＡチップを含むバイオアッセイ用基板、及び、ハイブリダイゼーションなどの相互作用を検出する装置を提供する。その他、塩を含むＨＥＰＥＳ緩衝液などを含む試薬キットを提供する。  【選択図】  図１
2006010611.tif 000002
【特許請求の範囲】
【請求項１】
物質間の相互作用の場を提供する反応領域内に、塩を含むＨＥＰＥＳ緩衝液を貯留又は保持させる相互作用検出方法。
【請求項２】
塩を含むＨＥＰＥＳ緩衝液の塩濃度を調整することによって、正に帯電した固相表面に対する負電荷を持つ物質の非特異的吸着を防止することを特徴とする請求項１記載の相互作用検出方法。
【請求項３】
前記の負電荷を持つ物質は、検出用核酸又は標的核酸が少なくとも含まれることを特徴とすることを特徴とする請求項２記載の相互作用検出方法。
【請求項４】
検出用核酸と標的核酸との間におけるハイブリダイゼーションの検出を、インターカレーターを用いて行う方法であって、
前記ハイブリダイゼーションの場を提供できる反応領域内に、塩を含むＨＥＰＥＳ緩衝液を貯留又は保持させるハイブリダイゼーション検出方法。
【請求項５】
前記塩を含むＨＥＰＥＳ緩衝液とインターカレーターとが貯留又は保持された前記反応領域内の温度を、前記ハイブリダイゼーションに適した温度に調節する手順を含むことを特徴とする請求項４記載のハイブリダイゼーション検出方法。
【請求項６】
前記塩を含むＨＥＰＥＳ緩衝液のｐＨが酸性であることを特徴とする請求項４記載のハイブリダイゼーション検出方法。
【請求項７】
前記インターカレーターを、次の（１）〜（３）のいずれかの段階で前記反応領域内に入れることを特徴とする請求項４記載のハイブリダイゼーション検出方法。
（１）前記反応領域内の前記塩を含むＨＥＰＥＳ緩衝液へ前記標的核酸を添加する前段階。
（２）前記反応領域内の前記塩を含むＨＥＰＥＳ緩衝液へ前記標的核酸を添加する段階。
（３）前記ハイブリダイゼーションが進行している段階。
【請求項８】
物質間の相互作用の場を提供する反応領域と、前記反応領域内に貯留又は保持され、塩を含むＨＥＰＥＳ緩衝液を含有する媒質と、を少なくとも備える相互作用検出部。
【請求項９】
請求項８記載の相互作用検出部を備えるバイオアッセイ用基板。
【請求項１０】
請求項８記載の相互作用検出部の反応領域内の温度を調節する温度制御手段と、物質間の相互作用を検出する手段と、を少なくとも備える相互作用検出装置。
【請求項１１】
検出用核酸と標的核酸との間におけるハイブリダイゼーションの場を提供する反応領域と、前記反応領域内に貯留又は保持され、塩を含むＨＥＰＥＳ緩衝液とインターカレーターとを含有する媒質と、を少なくとも備えるハイブリダイゼーション検出部。
【請求項１２】
前記反応領域内は、前記ハイブリダイゼーションに適した温度に調節可能な構成であることを特徴とする請求項１１記載のハイブリダイゼーション検出部。
【請求項１３】
前記塩を含むＨＥＰＥＳ緩衝液のｐＨが酸性であることを特徴とする請求項１１記載のハイブリダイゼーション検出部。
【請求項１４】
請求項１１記載のハイブリダイゼーション検出部を備えるＤＮＡチップ。
【請求項１５】
請求項１１記載のハイブリダイゼーション検出部の反応領域内の温度を調節する温度制御手段と、前記インターカレーターを蛍光励起し、該蛍光強度を検出する蛍光検出手段と、を少なくとも備えるハイブリダイゼーション検出装置。
【請求項１６】
物質間の相互作用検出用に調製された塩含有ＨＥＰＥＳ緩衝液又は該塩含有ＨＥＰＥＳ緩衝液を作製するための組成物を少なくとも備える試薬キット。
【請求項１７】
前記相互作用は、ハイブリダイゼーションであることを特徴とする請求項１６に記載の試薬キット。
【請求項１８】
前記ハイブリダイゼーションを検出するためのインターカレーターを備えることを特徴とする請求項１７記載の試薬キット。
【発明の詳細な説明】
【技術分野】
【０００１】
本発明は、塩を含むＨＥＰＥＳ緩衝液を用いた相互作用検出技術に関する。より詳しくは、塩を含むＨＥＰＥＳ緩衝液を用いる、ハイブリダイゼーションなどの相互作用を検出する方法及び検出部、該検出部を備えるバイオアッセイ用基板、ハイブリダイゼーションなどの相互作用を検出する装置、並びに試薬キットに関する。
【背景技術】
【０００２】
現在、ＤＮＡチップ（又はＤＮＡマイクロアレイ）などのバイオアッセイ用基板が、遺伝子の変異解析、ＳＮＰｓ（一塩基多型）分析、遺伝子発現頻度解析などに利用されており、創薬、臨床診断、薬理ジェノミクス、法医学その他の分野において広範囲に活用され始めている。
【０００３】
ここで、バイオアッセイ用基板とは、ガラス基板・シリコン基板などの上に多種・多数の検出用物質を高密度に集積して固定したものをいう。基板上に多種・多数の検出用物質を固定し、該検出用物質と相互作用する標的物質を網羅的に解析する。
【０００４】
基板上に検出用物質を固定する方法として、例えば、基板上の反応領域内にアビジンで被膜した固相表面を設ける場合がある。反応領域内に設けられたアビジン層とビオチン修飾された検出用物質とを、アビジン−ビオチン結合させることにより、基板上に検出用物質を効率よく固定することができる。
【０００５】
ＤＮＡチップなどの場合、ハイブリダイゼーション（検出用核酸と標的核酸との相互作用）を検出する方法として、インターカレーターを用いる場合がある。インターカレーターは、二本鎖核酸などに挿入結合するため、ハイブリダイゼーションの検出に用いることができる。
【０００６】
特許文献１には、ＤＮＡチップに関して、消光剤を用いて、蛍光検出時のバックグラウンドを低減する方法が記載されている。特許文献２から特許文献４には、インターカレーターを用いた核酸の検出方法などについて記載されている。
【特許文献１】特開２００３−８４００２号公報
【特許文献２】特開２００４−２４０３５号公報
【特許文献３】特開２００２−１８１８１６号公報
【特許文献４】特開平１１−１６４７００号公報
【発明の開示】
【発明が解決しようとする課題】
【０００７】
従来、バイオアッセイ用基板を用いて相互作用を検出する場合、反応領域内の正に帯電した固相表面に、核酸など負電荷を持つ物質などが非特異的に吸着するという問題があった。また、一部のインターカレーターも、反応領域内の正に帯電した固相表面に非特異的に吸着する場合があった。核酸やインターカレーターの非特異的吸着は、ハイブリダイゼーション検出などの際の、バックグラウンドノイズとなるため、非特異的吸着を低減する必要があった。
【０００８】
また、インターカレーターの結合特性を長時間保持するのが難しかったため、インターカレーターを反応領域内に入れた後、早期にハイブリダイゼーションを検出する必要があった。
【０００９】
その他、インターカレーターは一本鎖核酸の一部とも結合するため、ハイブリダイゼーションを検出する前に、洗浄工程を行い、ハイブリダイゼーションしなかった一本鎖核酸を除去する必要があった。
【００１０】
そこで、本発明は、反応領域内の固相表面に対する核酸・インターカレーターなどの非特異的吸着を防止すること、ハイブリダイゼーションの検出に用いるインターカレーターの結合特性を長時間保持すること、ハイブリダイゼーション検出の際の洗浄工程を簡略化すること、を主な目的とする。
【課題を解決するための手段】
【００１１】
本発明では、（１）相互作用検出方法、（２）ハイブリダイゼーション検出方法、（３）相互作用検出部、（４）バイオアッセイ用基板、（５）相互作用検出装置、（６）ハイブリダイゼーション検出部、（７）ＤＮＡチップ、（８）ハイブリダイゼーション検出装置、（９）試薬キット、以上を提供する。以下、順に説明する。
（１）相互作用検出方法について。
【００１２】
本発明に係る相互作用検出方法は、物質間の相互作用の場を提供する反応領域内に、塩を含むＨＥＰＥＳ緩衝液を貯留又は保持させることを特徴とする。
【００１３】
例えば、アビジン−ビオチン結合によって検出用物質を基板上の反応領域内に固定する場合では、前記反応領域内に、正に帯電した固相表面（アビジン層）を設ける。反応領域内に正に帯電した固相表面を設けた場合、負電荷を持つ物質やインターカレーターなどが非特異的に吸着する場合がある。本発明では、塩を含むＨＥＰＥＳ緩衝液の塩濃度を調整することによって、正に帯電した固相表面に対する、負電荷を持つ物質の非特異的吸着を防止する。
【００１４】
塩を含むＨＥＰＥＳ緩衝液の塩濃度を調整することによる、負電荷を持つ物質の非特異的吸着防止作用は、イオン遮蔽又は対イオン濃縮によるものと推定される。即ち、次の作用機序に基づくものと考えられる。
【００１５】
塩を含むＨＥＰＥＳ緩衝液の塩濃度を調整することにより、ＨＥＰＥＳ緩衝液中に陽イオン、陰イオンが過剰に存在することとなる。過剰に存在する陽イオンは、負電荷を持つ物質を緩やかに取り囲み、固相表面から負電荷を持つ物質を遮蔽する。一方、陰イオンも、正に帯電した固相表面と引き付けあって緩やかに該固相表面を覆うため、負電荷を持つ物質から固相表面を遮蔽する。従って、正に帯電した固相表面と負電荷を持つ物質が塩を含むＨＥＰＥＳ緩衝液の塩濃度を調整することによって遮蔽されるため、固相表面への負電荷を持つ物質の非特異的吸着が防止されると考えられる。
【００１６】
なお、前記の負電荷を持つ物質は、正に帯電した固層表面に対して非特異的に吸着する物質であれば特に限定されない。例えば、検出用核酸（検出用物質として用いられる核酸）、標的核酸（標的物質である核酸）などは、負電荷を持つ物質に含まれる。
（２）ハイブリダイゼーション検出方法について。
【００１７】
本発明に係るハイブリダイゼーション検出方法では、検出用核酸と標的核酸との間におけるハイブリダイゼーションの検出を、インターカレーターを用いて行う方法であり、ハイブリダイゼーションの場を提供できる反応領域内に、塩を含むＨＥＰＥＳ緩衝液を貯留又は保持させるように工夫した。
【００１８】
塩を含むＨＥＰＥＳ緩衝液を用いることにより、正に帯電した固相表面に対するインターカレーターの非特異的吸着を防止できる。
【００１９】
加えて、インターカレーターを用いてハイブリダイゼーションを検出する場合において、塩を含むＨＥＰＥＳ緩衝液を用いることによって、二本鎖核酸（ハイブリダイゼーションしたものを含む）の検出に用いるインターカレーターの構造安定性を保持し、二本鎖核酸に対するインターカレーターの結合特性の変化を抑制できる。また、塩を含むＨＥＰＥＳ緩衝液を用いることによって、インターカレーターの蛍光量を増大させ、また、インターカレーターの蛍光量を長時間減少させないまま維持することができる。
【００２０】
塩を含むＨＥＰＥＳ緩衝液を用いることによって、一本鎖状態の標的核酸と結合などした際のインターカレーターの蛍光量に比して、二本鎖核酸と結合などした際のインターカレーターの蛍光量を大きくできる。また、高温条件を付加しても、一本鎖状態の標的核酸と結合などした際のインターカレーターの蛍光量と、二本鎖核酸と結合などした際のインターカレーターの蛍光量と、の蛍光比を、大きい状態のままで維持できる。
【００２１】
塩を含むＨＥＰＥＳ緩衝液を用いることによって、反応領域内を高温にしたり、反応領域内の温度変化に伴って塩を含むＨＥＰＥＳ緩衝液のｐＨが変化したりした場合でも、インターカレーターの蛍光量を高い状態のまま維持できる。
【００２２】
また、塩を含むＨＥＰＥＳ緩衝液を用いることによって、温度変化に伴う反応領域内のｐＨの変化を少なくできる。即ち、温度変化域が大きい条件を付加した場合でも、反応領域内のｐＨの変化を、インターカレーターの結合特性・蛍光量などを維持できる範囲内に抑えることができる。
【００２３】
以上の塩を含むＨＥＰＥＳ緩衝液の作用・効果を踏まえ、本発明では、塩を含むＨＥＰＥＳ緩衝液とインターカレーターとが貯留又は保持された反応領域内の温度を、ハイブリダイゼーションに適した温度に調節する手順を含むハイブリダイゼーションの検出方法を提供する。例えば、ハイブリダイゼーション検出の際に、反応領域内の温度を、ハイブリダイゼーションに適した温度に調節することにより、ハイブリダイゼーションの促進やハイブリダイゼーションの検出時間の短縮化を図ることができる。
【００２４】
また、本発明では、塩を含むＨＥＰＥＳ緩衝液のｐＨが酸性であるハイブリダイゼーション検出方法を提供する。本方法によれば、例えば、ハイブリダイゼーション検出の際の温度調節に伴い、反応領域内の緩衝液のｐＨが７．０以下の酸性域になる場合でも、インターカレーターの結合特性・蛍光量を保持できるため、ハイブリダイゼーションの検出が可能となる。
【００２５】
さらに、本発明では、（１）反応領域内のＨＥＰＥＳ緩衝液へ標的核酸を添加する前段階、（２）反応領域内のＨＥＰＥＳ緩衝液へ標的核酸を添加する段階、（３）ハイブリダイゼーションが進行している段階、のいずれかの段階で、インターカレーターを、反応領域内に滴下・注入などして入れるハイブリダイゼーションの検出方法を提供する。
【００２６】
なお、（１）の段階は、反応領域内のＨＥＰＥＳ緩衝液へ標的核酸を添加するよりも前の段階をいい、例えば、反応領域内にＨＥＰＥＳ緩衝液を滴下又は注入などして入れる段階も含む。（３）の段階は、ハイブリダイゼーション完了までの段階をいい、例えば、標的核酸を添加したことによりハイブリダイゼーションの進行が始まった段階、ハイブリダイゼーションの進行を促進するために、所定時間、所定温度の条件を付加する段階、前記温度条件などを付加した後ハイブリダイゼーション完了までの段階、を含む。
【００２７】
上述の通り、塩を含むＨＥＰＥＳ緩衝液を用いることにより、インターカレーターの結合特性を長時間保持できるため、インターカレーターを反応領域内へ入れた状態のまま所定時間経過した場合でも、ハイブリダイゼーションを検出できる。また、温度やＨＥＰＥＳ緩衝液のｐＨが変化した場合でも、インターカレーターの結合特性を保持できるため、例えば、ＨＥＰＥＳ緩衝液中にインターカレーターを添加した状態で、ＨＥＰＥＳ緩衝液の温度をＴｍ周辺にまで上げたり、ハイブリダイゼーションやアニーリングに適した温度にしたりなどの条件を適宜付加することができる。従って、検出精度の向上や手順・工程の好適化・効率化を図ることができる。
【００２８】
また、塩を含むＨＥＰＥＳ緩衝液を用いることによって、一本鎖状態の標的核酸と結合した際のインターカレーターの蛍光量に比して、二本鎖核酸と結合などした際のインターカレーターの蛍光量を大きくできるため、ハイブリダイゼーションしなかった一本鎖核酸が反応領域中に存在している場合でも、二本鎖核酸（ハイブリダイゼーション）を検出することができる。従って、ハイブリダイゼーションしなかった一本鎖核酸を洗浄・除去する工程を省略又は簡略化することができる。
【００２９】
その他、例えば、反応領域内にＨＥＰＥＳ緩衝液を滴下・注入などして入れる段階、又は、反応領域内のＨＥＰＥＳ緩衝液へ標的核酸を添加する段階で、インターカレーターをＨＥＰＥＳ緩衝液又は標的核酸と同時に反応領域内に入れることにより、インターカレーターを個別に加える手順を省略又は簡略化できる。
【００３０】
また、上記のいずれかの段階でインターカレーターを反応領域内に入れることにより、インターカレートとハイブリダイゼーションを一工程として行うことができるため、検出時間の短縮を図ることができるという有利性がある。
（３）相互作用検出部、（４）バイオアッセイ用基板、（５）相互作用検出装置について。
【００３１】
本発明では、物質間の相互作用の場を提供する反応領域と、前記反応領域内に貯留又は保持され、塩を含むＨＥＰＥＳ緩衝液を含有する媒質と、を少なくとも備える相互作用検出部、該相互作用検出部を備えるバイオアッセイ用基板、前記相互作用検出部の反応領域内の温度を調節する温度制御手段と、相互作用を検出する手段と、を少なくとも備える相互作用検出装置、を提供する。これらの発明においても、上述した塩を含むＨＥＰＥＳ緩衝液の作用機序や作用・効果を有効に利用できる。相互作用の検出手段は、特に限定されない。
（６）ハイブリダイゼーション検出部、（７）ＤＮＡチップ、（８）ハイブリダイゼーション検出装置について。
【００３２】
本発明では、検出用核酸と標的核酸との間におけるハイブリダイゼーションの場を提供する反応領域と、前記反応領域内に貯留又は保持され、塩を含むＨＥＰＥＳ緩衝液とインターカレーターとを含有する媒質と、を少なくとも備えるハイブリダイゼーション検出部を提供する。また、このハイブリダイゼーション検出部を備えるＤＮＡチップを提供し、さらには、前記ハイブリダイゼーション検出部の反応領域内の温度を調節する温度制御手段と、インターカレーターを蛍光励起し、蛍光強度を検出する蛍光検出手段と、を少なくとも備えるハイブリダイゼーション検出装置、を提供する。これらの発明においても、上述した塩を含むＨＥＰＥＳ緩衝液の作用機序や作用・効果を有効に利用できる。
（９）試薬キットについて。
【００３３】
本発明では、物質間の相互作用検出用に調製された塩含有ＨＥＰＥＳ緩衝液又は該塩含有ＨＥＰＥＳ緩衝液を作製するための組成物を少なくとも備える試薬キットを提供する。前記相互作用がハイブリダイゼーションの場合、この試薬キットは、例えば、ハイブリダイゼーションの検出に用いるインターカレーターをさらに備えてもよい。キット化することにより、試薬調製の手順を省くことができるため、アッセイ全体の手順を簡略化できる。
【００３４】
なお、本発明では、各技術用語を、以下のように定義する。
【００３５】
「ＨＥＰＥＳ」とは、グッドの緩衝液試薬の一つである、２−［４−（２−ヒドロキシエチル）−１−ピペラジニル］エタンスルホン酸をいう。
【００３６】
「核酸」とは、プリン又はピリミジン残基と糖がグリコシド結合したヌクレオシドのリン酸エステル重合体（ヌクレオチド鎖）を意味し、プローブＤＮＡを含むオリゴヌクレオチド、ポリヌクレオチド、プリンヌクレオチドとピリミジンヌクレオチドが重合したＤＮＡ（全長あるいはその断片）、逆転写により得られるｃＤＮＡ、ＲＮＡ、ＰＮＡ（ポリアミドヌクレオチド誘導体）、などを広く含む。
【００３７】
「検出用物質」とは、反応領域中に予め固定又は遊離させた物質であり、該物質と特異的に相互作用する物質を検出するための探り針として機能する。「標的物質」とは、前記検出用物質と特異的に相互作用する物質をいう。
【００３８】
「検出用核酸」は検出用物質が核酸の場合を、「標的核酸」は標的物質が核酸の場合をいう。その場合、「相互作用」は、ハイブリダイゼーションである。
【００３９】
「反応領域」は、ハイブリダイゼーションの反応場を提供できる領域又は空間であり、例えば、液相やゲルなどを貯留できるウエル形状を有する反応場を挙げることができる。
【００４０】
「ハイブリダイゼーション」は、検出用核酸と標的核酸との結合のように、相補的な塩基配列構造を備える核酸の間で起こる相補鎖（二本鎖）形成反応を意味する。
【００４１】
「固相表面」は、基板やビーズなどの固体材料の表面であって、ハイブリダイゼーションその他の相互作用の反応場を提供できる領域又は空間との臨界面を意味する。
【００４２】
「インターカレーター」は、二本鎖核酸などに挿入結合可能である物質、又は、該物質を含む組成物である。インターカレーターが蛍光標識されている場合又は蛍光物質それ自体である場合、蛍光により二本鎖核酸（ハイブリダイゼーション）の存在を確認できる。蛍光により二本鎖核酸を検出できるインターカレーターとしては、例えば、ＰＯＰＯ−１、ＴＯＴＯ−１、ＳＹＢＲＧｒｅｅｎ  Ｉ、ＰｉｃｏＧｒｅｅｎなどがある。
【発明の効果】
【００４３】
本発明により、反応領域内の固相表面に対する核酸・インターカレーターなどの非特異的吸着を防止できる。また、ハイブリダイゼーションの検出に用いるインターカレーターの結合特性を長時間保持することができる。
【発明を実施するための最良の形態】
【００４４】
以下、添付図面を参照して、本発明の好適な実施形態について説明する。
【００４５】
まず、図１は、基板に設けられた相互作用検出部を簡略に示す断面図である。まず、図１に示す符号１は、本発明に係る相互作用検出部の実施形態の典型例を示している。この相互作用検出部１を用いれば、本発明に係るハイブリダイゼーション検出方法を含む相互作用検出方法を実施できる。
【００４６】
相互作用検出部１は、基材層１１と、ウエル状を呈する反応領域Ｒを形成する反応領域形成層１２と、を備える。反応領域Ｒ内へは、塩を含むＨＥＰＥＳ緩衝液Ｓ、標的核酸Ｔ、インターカレーターＩなどが、インクジェットプリンティングノズルなどのノズルＮなどを介して、滴下・注入することができる。なお、図１では、反応領域Ｒに検出用核酸Ｄの一端が固定され、ハイブリダイゼーションによって生成した二本鎖核酸の塩基対部分にインターカレーターＩが挿入結合している状態が例示されている。
【００４７】
基材層１１は、例えば、石英ガラスやシリコン、ポリカーボネート、ポリスチレンなどの合成樹脂によって形成する。また、基材層１１は、所定波長の励起光Ｐ（例えば、蛍光励起光）を透過可能な材質であることが好ましい。例えば、インターカレーターを用いて、蛍光によりハイブリダイゼーションを検出する場合、基材層１１を励起光Ｐが透過可能な材質にすることにより、相互作用検出部１の下方側からの励起光Ｐの照射によって、反応領域Ｒ内でのハイブリダイゼーションを検出することができる。
【００４８】
反応領域形成層１２は、例えば、感光性のポリイミド樹脂によって形成することができる。この感光性のポリイミド樹脂を、フォトレジストを用いた表面処理することにより、微細な反応領域Ｒを形成することができる。
【００４９】
反応領域Ｒは、媒質Ｍを貯留又は保持できる。形状・サイズは、特に限定されないが、その長さ、幅、深さは、それぞれ数μｍから数百μｍであって、このサイズ値は、励起光Ｐのスポット径やサンプル溶液（検出用核酸含有溶液、標的核酸含有溶液）などの媒質Ｍの最小滴下可能量に基づいて決定することができる。
【００５０】
媒質Ｍは、塩を含むＨＥＰＥＳ緩衝液Ｓを含有する。塩を含むＨＥＰＥＳ緩衝液Ｓを含有することにより、媒質Ｍ中に滴下又は注入された検出用物質Ｄ、標的物質Ｔ、負電荷を帯びるインターカレーターＩなどの物質が、正に帯電した固相表面に対して非特異的に吸着するのを有効に防止できる。なお、用いる塩については、特に限定されないが、ＮａＣｌ、ＭｇＣｌ２などが好適である。
【００５１】
また、相補鎖の塩基対に挿入結合するインターカレーターＩを用いて、ハイブリダイゼーションを検出する場合、温度変化域が大きい条件を付加した場合でも、反応領域Ｒ内のｐＨの変化を、インターカレーターの結合特性・蛍光量などを維持できる範囲内に抑えることができるため、反応領域Ｒ内を、ハイブリダイゼーションに適した温度に安心して調節することができる。
【００５２】
その他、ハイブリダイゼーション検出の際の温度調節に伴い、反応領域内の緩衝液のｐＨが７．０以下の酸性域になる場合でも、インターカレーターＩの結合特性・蛍光量を保持できるため、媒質Ｍ中の塩を含むＨＥＰＥＳ緩衝液ＳのｐＨが酸性であってもよい。
【００５３】
なお、図１中の符号Ｐは、励起光を、符号Ｆは、励起光Ｐにより励起された蛍光を示している。光透過性の基材層１１の裏面側から反応領域Ｒに入射する励起光Ｐによって励起された蛍光Ｆは、該蛍光Ｆを平行光に変換するレンズＬ１（図４の符号２５に相当）、蛍光Ｆを絞り込むための集光レンズＬ２（図４の符号３２に相当）を経て、ディテクタＺ（図４の符号３１に相当）によって、その蛍光強度を検出することが可能となる。
【００５４】
ここで、図１では、相互作用がハイブリダイゼーションである場合であり、当該ハイブリダイゼーション検出の手段としてインターカレーターＩを用いた場合が代表例示として示されている。なお、本発明は、この例に狭く限定されない。
【００５５】
図１において、基材層１１は、例えば、アビジン処理された固相表面１１ａを備える。この固相表面１１ａは、アビジン処理されているため、正に帯電している。符号Ｄで示すＤＮＡプローブなどの検出用核酸は、その一端がビオチン修飾されているので、検出用核酸Ｄは、固相表面１１ａのアビジンとの間で、アビジン−ビオチン結合によって、固相表面１１ａ上に固定されることになる。
【００５６】
なお、検出用核酸Ｄなど検出用物質の固定方法は、アビジン−ビオチン結合に限定されず、ジスルフィド結合など、他の方法を適宜用いてもよい。従って、固相表面１１ａも、アビジン処理された構成に、特に限定されない。
【００５７】
なお、本実施形態では、固相表面１１ａが基板に設けられる場合を例としているが、本発明は、この例に限定されず、例えば、固相ビーズの表面など、相互作用の反応場を提供できる領域又は空間との臨界面を全て包含する。
【００５８】
固相表面１１ａが正に帯電している場合、塩を含むＨＥＰＥＳ緩衝液の塩濃度を調整することにより、負電荷を持つ物質及びインターカレーターの非特異的吸着を防止できる。即ち、検出用核酸Ｄ、標的核酸Ｔなど負電荷を持つ物質及びインターカレーターＩなどが固相表面１１ａに非特異的に吸着するのを有効に防止できる。
【００５９】
固相表面１１ａに対する、検出用核酸Ｄ、標的核酸Ｔ、インターカレーターＩなどの非特異的吸着を防止することによって、固相表面１１ａに非特異的吸着した物質を除去する洗浄工程を省略・簡略化できる。これにより、相互作用を検出する際の手順を簡略化することができる。
【００６０】
正に帯電する固相表面１１ａにインターカレーターＩが非特異的に吸着すると、該インターカレーターＩは蛍光を発し、これがバックグラウンドノイズとなるが、本発明では、塩を含むＨＥＰＥＳ緩衝液によって、インターカレーターＩの非特異的吸着を有効に防止できるので、Ｓ／Ｎを良好にし、ハイブリダイゼーション検出の精度を向上させることができる。
【００６１】
次に、本発明に係る相互作用検出方法の一例であるハイブリダイゼーションの検出方法の一例を、図２に示されたＡ〜Ｃの段階に従って、具体的に説明する。
【００６２】
まず、図２のＡは、塩を含むＨＥＰＥＳ緩衝液Ｓを、検出用核酸Ｄが固定された反応領域Ｒへ滴下・注入などして加えた段階を示している。
【００６３】
本発明では、塩を含むＨＥＰＥＳ緩衝液Ｓを用いることによって、インターカレーターＩの結合特性を長時間保持できるようになる。このため、例えば、前記ＨＥＰＥＳ緩衝液Ｓを反応領域Ｒ内へ加える際に、インターカレーターＩを同時に加えることが可能となる。
【００６４】
また、このＡ段階において、塩を含むＨＥＰＥＳ緩衝液Ｓ、標的核酸Ｔ、インターカレーターＩをすべて同時に、反応領域Ｒ内に滴下・注入などして加えることも可能である。この場合、塩を含むＨＥＰＥＳ緩衝液Ｓ中に、予め標的核酸ＴとインターカレーターＩを添加等しておいてから、反応領域Ｒ内に滴下・注入等してもよい。
【００６５】
図２のＢは、標的核酸Ｔを、反応領域Ｒ内に既に貯留又は保持される塩を含むＨＥＰＥＳ緩衝液Ｓに添加した段階を示している。このＢ段階では、検出用核酸Ｄと標的核酸Ｔとのハイブリダイゼーションの進行が開始可能な状態となる。
【００６６】
本発明では、塩を含むＨＥＰＥＳ緩衝液Ｓによって、インターカレーターＩの結合特性を長時間保持できるようになったため、このＢ段階においても、標的核酸Ｔを滴下又は注入等する際に、インターカレーターＩを同時に入れることができる。このため、反応領域Ｒ内へインターカレーターＩを別個独立で加える手順を省略できるため、工程手順を簡略化できる。
【００６７】
また、標的核酸Ｔを、反応領域Ｒ内の塩を含むＨＥＰＥＳ緩衝液Ｓに滴下又は注入などした段階で、既に、インターカレーターＩが反応領域Ｒ内に既に存在する場合（Ａの段階で既にインターカレーターＩが反応領域Ｒ内に加えられている場合）は、標的核酸Ｔを反応領域Ｒに加えることにより、ハイブリダイゼーションとインターカレートを並行させることができる。
【００６８】
この場合、ハイブリダイゼーションとインターカレートの両方が並行するので、この段階から反応領域Ｒ内に蛍光励起光Ｐを照射することによって、ハイブリダイゼーションを経時的に検出することができる。
【００６９】
ここで、インターカレーターＩは、一本鎖状態の標的核酸ｔの一部とも結合して蛍光を発する場合がある（図１中、符号ｉ参照）。この場合は、ハイブリダイゼーション検出時のバックグラウンドノイズとなる。しかし、塩を含むＨＥＰＥＳ緩衝液Ｓを用いることによって、一本鎖状態の標的核酸ｔと結合などした際のインターカレーターｉの蛍光量に比して、二本鎖核酸（検出用核酸Ｄと標的核酸Ｔがハイブリダイゼーションしたものなど）と結合などした際のインターカレーターＩの蛍光量を大きくできる。
【００７０】
このため、ハイブリダイゼーションしなかった一本鎖の標的核酸ｔが反応領域Ｒ中に存在している場合でも、二本鎖核酸（ハイブリダイゼーション）を高精度に検出することができる。従って、ハイブリダイゼーションしなかった一本鎖核酸を洗浄・除去する工程を省略又は簡略化することができる。
【００７１】
また、本発明では、図２に示すＢ段階において、標的核酸Ｔを反応領域Ｒ内の塩を含むＨＥＰＥＳ緩衝液Ｓに滴下又は注入などして添加した後に、温度条件を変化させる操作を行うことができる。
【００７２】
即ち、本発明では、塩を含むＨＥＰＥＳ緩衝液Ｓを用いたため、該緩衝液Ｓの温度やｐＨが変化した場合でも、インターカレーターＩの結合特性を保持できる。そのため、インターカレーターＩを反応領域Ｒ内に入れた後に、該反応領域Ｒ内を、所定の温度に調整する手順を安心して行うことができる。
【００７３】
従って、例えば、インターカレーターＩを反応領域Ｒ内に滴下又は注入などして入れた状態で、ハイブリダイゼーションの至適温度まで加熱することができる。これにより、ハイブリダイゼーションの進行を促進できるため、ハイブリダイゼーションの検出を効率化・高精度化することが可能となる。
【００７４】
次に、図２のＣは、標的核酸Ｔを反応領域Ｒに滴下又は注入などして加えた後、所定時間が経過し、ハイブリダイゼーションが完了（飽和）した段階を模式的に示している。このＣの段階では、検出用核酸Ｄと標的核酸Ｔがハイブリダイゼーションしている。また、インターカレーターＩは、ハイブリダイゼーションした二本鎖核酸（検出用核酸Ｄと標的核酸Ｔがハイブリダイゼーションしたものなど）の塩基対部分に挿入結合されている。
【００７５】
現在、ハイブリダイゼーションを検出する前に、ハイブリダイゼーションしなかった一本鎖核酸ｔなどの検出精度低下の要因となり得る不要物質を、反応領域Ｒから洗浄・除去（以下、「洗浄工程」）するのが一般的な手順である。しかし、本発明では、前述したように、塩を含むＨＥＰＥＳ緩衝液Ｓを用いることによって、一本鎖状態の標的核酸ｔと結合した際のインターカレーターｉの蛍光量に比して、二本鎖核酸と結合などした際のインターカレーターの蛍光量を大きくできるので、前記不要物質の洗浄工程を省略することができる。
【００７６】
以上のように、本発明では、塩を含むＨＥＰＥＳ緩衝液ＳによりインターカレーターＩの結合特性を長期間保持できるため、ハイブリダイゼーションが完了（飽和）する段階の前のどの段階でも、インターカレーターＩを、反応領域Ｒ内に滴下・注入等して加えることができる。また、本発明では、標的核酸Ｔを加えた後であれば、どの段階でも、ハイブリダイゼーションを検出できる。さらには、本発明により、ハイブリダイゼーション完了後に行う洗浄工程を省略又は簡略化できる。
【００７７】
次に、図３に基づいて、本発明に係るＤＮＡチップなどのバイオアッセイ用基板について、説明する。
【００７８】
図３に示されたバイオアッセイ用基板Ｌは、ＣＤ様の円盤状をなす基板上に、既述した相互作用検出部１が、例えば、周方向、螺旋状、放射状に配列されている。
【００７９】
バイオアッセイ用基板Ｌは、ＣＤ（Compact  Disc）、ＤＶＤ（Degital  Versatile  Disc）、ＭＤ(Mini  Disc)などの光情報記録媒体と同様の基材から形成することができる。また、基板の形状は、図１に示す円盤状に特に限定されず、目的に応じて、自由に形成することができる。なお、基板を安価な合成樹脂を用いて成形することで、従来使用されていたガラスチップに比して、低ランニングコストを実現できる。
【００８０】
図４は、本発明に係るハイブリダイゼーション検出装置を包含する相互作用検出装置（以下、単に「装置」と略称。）の構成の一例を示す図である。
【００８１】
図４に例示した装置Ｕは、図３に示されたバイオアッセイ用基板Ｌに多数配設された相互作用検出部１に励起光Ｐを照射可能な励起光照射手段２と、前記相互作用検出部１で励起した蛍光Ｆを読み取り可能な蛍光検出手段３と、前記相互作用検出部１の反応領域Ｒ内に貯留又は保持される媒質Ｍに対して加熱可能な加温手段４と、温度調節手段５と、基板位置の検出等に係わるサーボ機能（図示せず。）を備えている。
【００８２】
また、図４に例示した装置Ｕは、バイオアッセイ用基板Ｌを回転可能に支持するディスク支持台６と、相互作用検出部１に所定の媒質Ｍを滴下又は注入できるノズルヘッドＮと、装置Ｕを制御する制御部７と、を備えている。なお、基板Ｌの保持及び回転は、公知の光ディスクドライブと同様のチャッキング機構を用いてもよい。
【００８３】
相互作用検出部１には、複数のノズルヘッドＮから、所定の媒質Ｍ（Ｍ０〜Ｍ２）を滴下又は注入できる。媒質Ｍとしては、例えば、塩を含むＨＥＰＥＳ緩衝液Ｓ（Ｍ０）、検出用物質Ｄ又は標的物質Ｔ（Ｍ１）、インターカレーターＩ（Ｍ２）などがある。複数のノズルヘッドＮを用いることにより、所定の媒質を、所定のタイミングで、順次又は同時に、相互作用検出部１の反応領域Ｒ内に滴下又は注入することができる。なお、制御部７は、ノズルヘッドＮの滴下又は注入の動作全体を制御している。
【００８４】
励起光照射手段２は、励起光Ｐを出射するレーザーダイオード２１と、励起光Ｐを平行光に変換するコリメータレンズ２２と、励起光Ｐを反射するダイクロイックミラー２３及び２４と、励起光Ｐを集光して相互作用検出部Ｐに照射させるレンズ２５と、を備える。
【００８５】
即ち、励起光Ｐは、レーザーダイオード２１から出射され、コリメータレンズ２２にて平行光とされた後、ダイクロイックミラー２３で９０°屈折される。その後、励起光Ｐは、ミラー２４でさらに９０°屈折された後、アクチュエータ２６で支持されたレンズ２５に入射し、基板Ｌの裏面から相互作用検出部１に向けて絞り込まれて照射される。なお、励起光照射タイミングなどは、制御部７により制御されている（符号２８）。
【００８６】
蛍光検出手段３は、蛍光Ｆを感知するディテクタ３１と、蛍光Ｆを集光するレンズ３２と、蛍光反射用のダイクロイックミラー３３と、を主に備える。なお、ディテクタ３１で検出された蛍光は、ＡＤ変換機３７などによって、所定のデジタル信号に変換され、制御部７に伝達される（符号３８）。
【００８７】
励起光Ｐが照射されると、符号Ｆで示される蛍光がインターカレーターＩから発せられ、基板Ｌの裏面側に該蛍光Ｆが戻ってくる。この蛍光Ｆは、基板Ｌの下方に配置された前記ミラー２４で９０°屈折された後、前記励起光反射用ダイクロイックミラー２３を透過して直進し、次の蛍光反射用ダイクロイックミラー３３で９０°屈折する。続いて、この蛍光Ｆは、レンズ３２に入射して集光され、ディテクタ３１に導かれる。なお、蛍光反射用ダイクロイックミラー３３は、蛍光Ｆを反射する性質を有するとともに、後述する赤外線に対して透光性を有する。
【００８８】
ここで、蛍光強度は、一般の光ディスクＲＦ信号等と比較して、非常に弱いことが予想される。従って、蛍光検出用のディテクタ３１には、一般のフォトダイオードと比較して非常に感度の高いフォトマルチプライヤー（光電管）やアバランシェフォトダイオード（ＡＰＤ）を採用するのが好適である。
【００８９】
加温手段４は、赤外光Ｑを出射するＩＲレーザーダイオード４１と、赤外光を平行光に変換するコリメータレンズ４２と、赤外光Ｑを反射するダイクロイックミラー４３及び前記ミラー２４と、赤外光Ｑを集光して相互作用検出部１に照射させる前記レンズ２５と、を備える。
【００９０】
赤外光Ｐは、レーザーダイオード４１から出射され、コリメータレンズ４２にて平行光に変換された後、ダイクロイックミラー４３で９０°屈折される。その後、赤外光Ｑは、ミラー２４でさらに９０°屈折された後、レンズ２５に入射し、基板Ｌの裏面Ｌ１から相互作用検出部１に向けて絞り込まれて照射される。
【００９１】
相互作用検出部１に赤外光Ｑを照射することにより、相互作用検出部１に貯留又は保持された媒質Ｍを、例えば、相互作用の至適温度にまで、加温することができる。加熱の調節は、赤外光Ｑの照射量（光量）を調節する方法、照射時間を調節する方法、のほか、例えば、パルス幅変調（ＰＷＭ）、パルス振幅変調（ＰＡＭ）などによる方法を採用してもよい。
【００９２】
温度検出手段５は、相互作用検出部１で反射して逆行する赤外光Ｑ’を受光するフォトマル等のディテクタ５１と、相互作用検出部１で反射して逆行する赤外光Ｑ’を集光する集光レンズ５２と、を備える。
【００９３】
加温手段４により、相互作用検出部１に照射された赤外光Ｑは、相互作用検出部１内で一部が反射し逆行する。赤外反射光Ｑ’は、基板Ｌの下方に配置された前記ミラー２４で９０°屈折された後、前記励起光照射用ダイクロイックミラー２３、蛍光検出用ダイクロイックミラー３３、赤外光照射用ダイクロイックミラー４３、を透過して直進し、集光レンズ５２で集光され、ディテクタ５１に達する。
【００９４】
ディテクタ５１で受光された反射赤外光Ｑ’は、ＡＤ変換器５７で所定の信号に変換され、該信号が制御部７に送られる（符号５８）。そして、該信号に基づいて、前記加温手段４を制御する（符号４８）。以上により、相互作用検出部１の反応領域Ｒ内の温度を調節する。
【００９５】
また、本発明では、加温条件の制御を、相互作用検出部１から輻射される赤外光に基づいて行うこともできる。即ち、相互作用検出部１から輻射された温度固有の波長を備える赤外光をディテクタ５１で受光し、このディテクタ５１から送られてくる信号（符号５８）から媒質Ｍの温度を推定する（温度制御手段）。そして、その情報に基づき、制御部７が、加温手段４による加温の程度を調節する。なお、図４に例示した加温手段４及び温度調節手段５は、赤外光を用いたものであるが、加温手段及び温度調節手段は、赤外光による方法に限定されるわけではない。
【００９６】
次に、本発明に係る「試薬キット」の好適な実施形態について説明する。
【００９７】
本発明に係る試薬キットは、物質間の相互作用検出用に調製された塩含有ＨＥＰＥＳ緩衝液、又は、塩含有ＨＥＰＥＳ緩衝液を作製するための組成物、を少なくとも備える構成にする。前記組成物の場合、蒸留水で希釈・溶解することなどにより、簡易に、塩含有ＨＥＰＥＳ緩衝液を作製できることが好ましい。
【００９８】
ＤＮＡチップなどバイオアッセイ用基板の製造時に用いる試薬をキット化する場合、塩含有ＨＥＰＥＳ緩衝液のほか、例えば、アビジン、ビオチン、検出用核酸にビオチンを修飾するための酵素、または前記試薬を濃縮・粉末化などした組成物、などを備える構成にしてもよい。
【００９９】
また、ハイブリダイゼーションを検出する際に用いる試薬をキット化する場合、塩含有ＨＥＰＥＳ緩衝液のほか、例えば、標的核酸を作製するための試薬（組織・細胞などからＤＮＡ、ｍＲＮＡなどを抽出する際に必要な酵素、ｃＤＮＡ合成に必要な酵素など）、インターカレーター、または前記試薬を濃縮・粉末化などした組成物、などを備える構成にしてもよい。
【実施例１】
【０１００】
実施例１では、薄層クロマトグラフ法を用いて、インターカレーターの構造安定性に適した緩衝液の検証を行った。インターカレーターとしては、「ＳＹＢＲＧｒｅｅｎ  Ｉ  Ｎｕｃｌｅｉｃ  Ａｃｉｄ  Ｇｅｌ  Ｓｔａｉｎ」（商品名、Ｃａｍｂｒｅｘ社製、「ＳＹＢＲ」はＭｏｌｅｃｕｌａｒ  Ｐｒｏｂｅｓ社の登録商標、以下「ＳＹＢＲＧｒｅｅｎ  Ｉ」とする、以下同じ）を用いた。「ＳＹＢＲＧｒｅｅｎ  Ｉ」は、二本鎖核酸を検出するために用いる高感度な発色用試薬であり、エチジウムブロマイドの２５〜１００倍の高い感度を示すため、インターカレーターとして好適と考えられる組成物である。なお、「ＳＹＢＲＧｒｅｅｎ  Ｉ」は、蛍光色素で標識されており、蛍光により、二本鎖核酸への結合を検出することができる。実験手順を次に示す。
【０１０１】
まず、ＳＹＢＲＧｒｅｅｎ  Ｉを、表１に示す緩衝液で１０倍希釈し、実験用サンプルとした（サンプル１〜サンプル７）。なお、ＨＥＰＥＳ緩衝液の調製には、「ＨＥＰＥＳ  ｂｕｆｆｅｒ  ｓｏｌｕｔｉｏｎ」（和光純薬工業株式会社、製造元は株式会社同仁化学研究所）を用いた（以下同じ）。
【０１０２】
【表１】
2006010611.tif 000003
【０１０３】
次に、各サンプルを所定時間室温で放置した後、薄層クロマトグラフ法を行った。薄層クロマトグラフ法の具体的な手順は次のとおりである。まず、薄層板（本実験では、プラスチック板上に、固層担体としてシリカが塗布されたものを用いた。）の下端から同じ高さの位置に、サンプル１からサンプル７の調製液を、適当な間隔に並べてスポットし、風乾した。次に、各サンプルをスポットした薄層板の下端部を、展開溶媒（ＤＭＳＯ）に浸し、常温で１０分間展開させ、スポットの移動を観察した。
【０１０４】
その結果、０．１ＭＨＥＰＥＳ、ＭｇＣｌ２２０ｍＭの緩衝液を用いたサンプル（サンプル１〜３）では、いずれも、５時間放置した後にスポットした場合でも、約８０％が標品（サンプル６、サンプル７）のスポットと同じ位置にあり、スポットの移動が殆ど見られなかった。従って、これらの緩衝液中では、ＳＹＢＲＧｒｅｅｎ  Ｉの構造変化はあまりなかったと考えられる。
【０１０５】
それに対し、サンプル４では、ＳＹＢＲＧｒｅｅｎ  Ｉを緩衝液で希釈してから１５分常温で放置した後にスポットした場合でも、スポットのほぼ全てが標品（サンプル６、サンプル７）と違う位置に移動していた。また、サンプル５でも、希釈してから２時間常温で放置した後にスポットした場合、スポットのほぼ全てが標品（サンプル６、サンプル７）と違う位置に移動していた。従って、これらの緩衝液中では、ＳＹＢＲＧｒｅｅｎ  Ｉの構造変化がかなり進行したと考えられる。
【０１０６】
以上の結果は、０．１ＭＨＥＰＥＳ、ＭｇＣｌ２２０ｍＭの緩衝液が、ＳＹＢＲＧｒｅｅｎ  Ｉの構造安定性の保持に最も適していることを示している。即ち、０．１ＭＨＥＰＥＳ、ＭｇＣｌ２２０ｍＭの緩衝液を用いることにより、ＳＹＢＲＧｒｅｅｎ  Ｉの構造を長時間安定的に保持することができ、ＳＹＢＲＧｒｅｅｎ  Ｉの二本鎖核酸に対する結合特性の変化を抑制することができると考えられる。
【０１０７】
また、サンプル１〜３を比較した場合、用いた緩衝液が、ｐＨ６．８の場合でも、ｐＨ７．１、ｐＨ７．４の緩衝液と同様に、スポットの移動は殆どなかった。即ち、塩を含むＨＥＰＥＳ緩衝液を用いることにより、ＳＹＢＲＧｒｅｅｎ  Ｉの推奨範囲（ｐＨ７．５〜８．０）以下であるｐＨ６．８条件下においても、充分に、ＳＹＢＲＧｒｅｅｎ  Ｉの構造安定性を保持できることが分かった。
【０１０８】
一般に、緩衝液のｐＨは一般に温度上昇に伴い低下する。発明者が温度変化によるＨＥＰＥＳ緩衝液のｐＨ変化を検証したところ、常温（２５℃）でｐＨ７．７の場合５５℃でｐＨ７．４に、常温（２５℃）でｐＨ７．１の場合５５℃でｐＨ６．８に、それぞれ低下した（図５参照）。従って、少なくとも常温でｐＨ７．１以上に調整した塩を含むＨＥＰＥＳ緩衝液を用いることにより、例えば、緩衝液の温度をアニーリングなどに好適な温度に調節した場合でも、緩衝液中のインターカレーターの構造を安定的に保持することができることを示唆する。
【実施例２】
【０１０９】
実施例２では、緩衝液の温度とｐＨの関係について、検証を行った。
【０１１０】
常温（２５℃）で、ｐＨが６．８、７．１、７．４、７．７のＨＥＰＥＳ緩衝液と、ＴＥ緩衝液（ｐＨ７．５）を準備し、３５℃、４５℃、５５℃、６５℃の各温度における各緩衝液のｐＨを測定した。結果を図５に示す。
【０１１１】
図５に示すとおり、ＴＥ緩衝液では、温度変化に伴い、ｐＨも大きく変化した。それに対し、ＨＥＰＥＳ緩衝液は、温度が上昇しても、ｐＨの変化は少なかった。
【０１１２】
インターカレーターは、微細な条件変化でも、二本鎖核酸に対する結合特性・蛍光量が損なわれる場合がある。上記の実験結果は、温度変化を伴う条件を付加した場合にも、ＨＥＰＥＳ緩衝液を用いることにより、ｐＨの変化を少なく抑えることができることを示している。従って、例えば、緩衝液が２５℃で、ｐＨ６．８の酸性域を示している条件下において、充分な結合特性・蛍光量を持つインターカレーターは、温度変化を伴う条件を付加した場合にも、ｐＨの変化に伴うインターカレーターの機能劣化・変性を防止でき、二本鎖核酸に対する結合特性・蛍光量を保持できることを示唆している。
【実施例３】
【０１１３】
実施例３では、インターカレーターと一本鎖核酸との結合と、インターカレーターと二本鎖核酸との結合と、の結合比を大きくすることができる緩衝液について、検証を行った。実験手順は以下のとおりである。
【０１１４】
まず、表２に示す緩衝液を準備した。
【０１１５】
【表２】
2006010611.tif 000004
【０１１６】
次に、各緩衝液でＳＹＢＲＧｒｅｅｎ−１を１００００倍希釈し、３０ｍｅｒの一本鎖又は二本鎖核酸を１００ｎＭ加え、室温で１０分又は３０分放置した後、蛍光測定を行った。室温で１０分間放置したものの蛍光測定の結果を表３に、３０分放置したものの蛍光測定の結果を表４に示す。
【０１１７】
【表３】
2006010611.tif 000005
【０１１８】
【表４】
2006010611.tif 000006
【０１１９】
表３、表４に示すとおり、０．１ＭＨＥＰＥＳ、ＭｇＣｌ２２０ｍＭの緩衝液（サンプル１）を用いると、一本鎖核酸に対する蛍光と二本鎖核酸に対する蛍光の蛍光比を、他の緩衝液（サンプル２〜４）と比較して、大きくすることができた。二本鎖核酸に対する蛍光値自体も、他の緩衝液（サンプル２〜４）と比較して、大きくすることができた。
【０１２０】
このことは、まず、０．１ＭＨＥＰＥＳ、ＭｇＣｌ２２０ｍＭの緩衝液を用いることにより、ハイブリダイゼーションを検出する際の、測定精度を向上できることを示している。即ち、一本鎖核酸に対する蛍光と二本鎖核酸に対する蛍光の蛍光比（即ち、インターカレーターと一本鎖核酸との結合と、インターカレーターと二本鎖核酸との結合と、の結合比）を大きくすることができたため、ハイブリダイゼーションした二本鎖核酸を、より高い精度で検出することが可能になる。
【０１２１】
また、０．１ＭＨＥＰＥＳ、ＭｇＣｌ２２０ｍＭの緩衝液を用いることにより、ハイブリダイゼーションしなかった一本鎖核酸を洗浄・除去する手順を省略又は簡略化できることを示している。具体的には次の通りである。
【０１２２】
ＤＮＡチップなどでハイブリダイゼーションを検出する場合、全ての一本鎖核酸がハイブリダイゼーションに用いられるわけではなく、ハイブリダイゼーションしなかった一本鎖核酸は、緩衝液中に残る。インターカレーターは、二本鎖核酸だけでなく、一本鎖核酸の一部とも反応するため、ハイブリダイゼーションしなかった一本鎖核酸の存在は、ハイブリダイゼーションした二本鎖核酸の検出の際のノイズとなる。そのため、一本鎖核酸を洗浄・除去する工程が必要であった。
【０１２３】
それに対し、本実験では、０．１ＭＨＥＰＥＳ、ＭｇＣｌ２２０ｍＭの緩衝液を用いることにより、インターカレーターと一本鎖核酸との結合と、インターカレーターと二本鎖核酸との結合と、の結合比を大きくすることが可能となったため、一本鎖核酸が反応領域中に混在していても、ハイブリダイゼーションした二本鎖核酸を検出することができる。従って、例えば、標的物質である一本鎖核酸とインターカレーターを同時に緩衝液中に滴下・注入などした場合でも、ハイブリダイゼーションを検出することができるため、ハイブリダイゼーションしなかった一本鎖核酸を洗浄・除去する手順を省略又は簡略化できる。
【０１２４】
次に、表３と表４を比較すると、０．１ＭＨＥＰＥＳ、ＭｇＣｌ２２０ｍＭの緩衝液（サンプル１）を用いた場合は、室温で３０分間放置しても二本鎖核酸に対する蛍光値は、殆ど減少しなかったが、他の緩衝液（サンプル２、４）では、蛍光値が１０００以上低下した。
【０１２５】
このことは、０．１ＭＨＥＰＥＳ、ＭｇＣｌ２２０ｍＭの緩衝液を用いることにより、インターカレーターと二本鎖核酸との結合を長時間減少させないまま維持できることを示している。
【０１２６】
従って、インターカレーターを緩衝液中に滴下・注入などしてからハイブリダイゼーションを検出するまでの経過時間の差異による結合量の減少や、サンプルごとの結合量の差異を減らすことができる。また、インターカレーターを反応領域内に入れてからハイブリダイゼーションの検出までに一定時間が経過した場合でも、安定的にハイブリダイゼーションを検出することが可能となる。
【実施例４】
【０１２７】
実施例４では、高温条件を付加した場合にもインターカレーターの安定性を保持できる緩衝液について、検証を行った。実験手順は以下のとおりである。
【０１２８】
まず、表５に示す緩衝液を準備した。
【０１２９】
【表５】
2006010611.tif 000007
【０１３０】
次に、各緩衝液でＳＹＢＲＧｒｅｅｎ  Ｉを１００００倍希釈し、３０ｍｅｒの一本鎖又は二本鎖核酸を１００ｎＭ加え、９５℃で５分、１０分、１５分の条件を付加し、冷却して室温に戻し、蛍光測定を行った。９５℃、５分の条件を付加したものの蛍光測定の結果を表６に、９５℃、１０分の条件を付加したものの蛍光測定の結果を表７に、９５℃、１５分の条件を付加したものの蛍光測定の結果を表８に示す。
【０１３１】
【表６】
2006010611.tif 000008
【０１３２】
【表７】
2006010611.tif 000009
【０１３３】
【表８】
2006010611.tif 000010
【０１３４】
表６、表７、表８に示すとおり、０．１ＭＨＥＰＥＳ、ＭｇＣｌ２２０ｍＭの緩衝液（サンプル１）を用いた場合、高温条件を付加しても、一本鎖核酸に対する蛍光と二本鎖核酸に対する蛍光の蛍光比が約１：１０であり、充分大きな蛍光比を得ることができた。二本鎖核酸に対する蛍光値自体も、高温条件を付加しても７０００以上であり、他の緩衝液（サンプル２〜４）と比較して、高い値を維持した。
【０１３５】
このことは、０．１ＭＨＥＰＥＳ、ＭｇＣｌ２２０ｍＭの緩衝液（サンプル１）を用いることにより、高温条件を付加した場合にもインターカレーターの安定性を保持できることを示している。従って、例えば、緩衝液中にインターカレーターを滴下・注入などした後に、緩衝液の温度を調節した場合にも、インターカレーターの二本鎖核酸に対する結合特性や結合量を保持できる。
【実施例５】
【０１３６】
実施例５は、ＨＥＰＥＳ緩衝液中に塩を含有させることにより、反応領域内の正に帯電した固相表面に対する核酸分子の非特異的吸着を防止できることを示した実験である。実験手順は、以下のとおりである。
【０１３７】
まず、０．１ＭＨＥＰＥＳ、ＭｇＣｌ２２０ｍＭ、ｐＨ７．１のＨＥＰＥＳ緩衝液を調製した。また、Ａｕ表面上をアビジンで被覆した水晶振動子を用意した。アビジンは、和光純薬工業株式会社製（製品名「アビジン」）のものを用いた（以下同じ）。Ａｕ表面上へのアビジンの被覆は、本実験に用いた生体分子間相互作用定量ＱＣＭ装置「ＡＦＦＩＮＩＸ  Ｑ」（型式「ＱＣＭ２０００」、水晶発振方式、発振周波数２７ｍＨｚ、株式会社イニシアム製、以下「ＱＣＭ装置」とする、以下同じ）のプロトコルに記載された方法に従って行った。
【０１３８】
次に、ＱＣＭ装置の反応槽に各緩衝液と３０ｎＭの３０ｍｅｒオリゴヌクレオチドを入れ、その中に、前記水晶振動子を浸した。そして、水晶振動子の振動数の変化（デルタＦ、単位Ｈｚ）を測定することにより、水晶振動子上のアビジン層に吸着した３０ｍｅｒオリゴヌクレオチドの吸着量を求めた。なお、３０ｍｅｒオリゴヌクレオチドは、エスペックオリゴサービス株式会社が受託合成したものを用いた。結果を表９に示す。
【０１３９】
【表９】
2006010611.tif 000011
【０１４０】
例えば、アビジン−ビオチン結合によって検出用核酸を基板上の反応領域内に固定する場合、反応領域内に正に帯電した固相表面（アビジン層）を設ける。一方、検出用核酸とハイブリダイゼーションする標的核酸は負電荷を持つ物質であるため、正に帯電した固相表面と非特異的に吸着する。
【０１４１】
それに対し、本実験では、表９に示すとおり、塩を含有するＨＥＰＥＳ緩衝液を用いることにより、正に帯電する固相表面に対する標的核酸の非特異的付着を防止できることが分かった。
【０１４２】
標的核酸の固相表面への非特異的吸着を防止することにより、非特異的に吸着した標的核酸を洗浄・除去する手順を省くことができるため、ハイブリダイゼーションを検出する際の手順を簡略化することができる。また、標的核酸の固相表面への非特異的吸着を防止できるため、ノイズの発生を抑えることができ、ハイブリダイゼーションの検出精度を向上させることもできる。
【実施例６】
【０１４３】
実施例６は、ＨＥＰＥＳ緩衝液中の塩濃度を調整することにより、インターカレーターの非特異的吸着を防止できることを示した実験である。実験手順は以下のとおりである。
【０１４４】
まず、０．１ＭＨＥＰＥＳ、ＭｇＣｌ２２０ｍＭ、ｐＨ７．１のＨＥＰＥＳ緩衝液を調製した。また、実施例４と同様、Ａｕ表面上をアビジンで被覆した水晶振動子を用意した。
【０１４５】
次に、ＱＣＭ装置の各反応槽に、前記緩衝液とＳＹＢＲＧｒｅｅｎ  Ｉ（インターカレーター）を入れ、その中に、前記水晶振動子を浸した。そして、水晶振動子の振動数の変化（デルタＦ、単位Ｈｚ）を測定し、水晶振動子上のアビジン層に吸着したＳＹＢＲＧｒｅｅｎ  Ｉの吸着量を求めた。なお、ＳＹＢＲＧｒｅｅｎ  Ｉは、プロトコル推奨の希釈液を、さらに１００００倍希釈したものを用いた。結果を表１０に示す。
【０１４６】
【表１０】
2006010611.tif 000012
【０１４７】
その結果、表１０に示すとおり、塩を含有するＨＥＰＥＳ緩衝液中では、アビジン層へのＳＹＢＲＧｒｅｅｎ  Ｉの吸着はほとんど見られなかった。従って、アビジン層のように正に帯電した固層表面であっても、緩衝液中の塩濃度を調整することにより、標的核酸だけでなく、正に帯電する固相表面へのインターカレーターの非特異的吸着をも防止できることが、本実験より明らかになった。
【０１４８】
また、このことは、インターカレーターを用いたハイブリダイゼーションの定量化が可能であることをも示している。緩衝液中の塩濃度を調製することにより、インターカレーターの固相表面への非特異的吸着を防止できるため、非特異的吸着に基づくシグナル（ノイズ）は発生しない。従って、ハイブリダイゼーションに基づくシグナルのみを検出できるため、測定精度を向上することができるほか、シグナル強度により、ハイブリダイゼーションの定量的な検出をも可能になると考える。なお、インターカレーターがハイブリダイゼーションしなかった一本鎖核酸の一部と反応することについても、バックグラウンドを差し引くことで、調節が可能であるため、ハイブリダイゼーションの定量的な検出は可能である。
【産業上の利用可能性】
【０１４９】
本発明に係る方法により、インターカレーターの結合特性を長時間保持することができ、また、ハイブリダイゼーションの検出精度を向上することができるため、ＤＮＡチップなどバイオアッセイ用基板の分野において、有用な技術である。また、ハイブリダイゼーション検出の際の洗浄工程を簡略化できる点で、汎用性が高く、利用価値が高いと考えられる。さらに、本発明方法により、ハイブリダイゼーション検出などの際の、バックグラウンドノイズを低減できる有利性がある。
【０１５０】
本発明に係る相互作用検出部は、ＤＮＡチップなどバイオアッセイ用基板に有用な技術である。本発明に係るＤＮＡチップなどバイオアッセイ用基板及び相互作用検出装置は、ハイブリダイゼーションなど相互作用の検出に有用である。その他、上記の方法に用いる試薬をキット化することにより、試薬調製の手順を簡略化できる。従って、本発明は、産業上有用であると考える。
【図面の簡単な説明】
【０１５１】
【図１】本発明に係る発明を実施できる相互作用検出部（１）の好適な実施形態の一例を示す図（断面図）である。
【図２】本発明に係る相互作用検出方法（ハイブリダイゼーション検出方法を含む。）の一例を示す図である。
【図３】本発明に係るバイオアッセイ用基板Ｌの一例を示す図である。
【図４】本発明に係る相互作用検出装置の構成の一例を示す図である。
【図５】緩衝液の温度とｐＨの関係を示す図である。
【符号の説明】
【０１５２】
１    相互作用検出部
２    励起光照射手段
３    蛍光検出手段
４    加温手段
５    温度調節手段
７    制御部
Ｄ    検出用核酸
Ｉ    インターカレーター
Ｌ    バイオアッセイ用基板
Ｍ    媒質
Ｐ    蛍光励起光
Ｒ    反応領域
Ｓ    塩を含むＨＥＰＥＳ緩衝液
Ｔ    標的核酸
Ｕ    相互作用検出装置（含、ハイブリダイゼーション検出装置）
【図１】
2006010611.tif 000013
【図２】
2006010611.tif 000014
【図３】
2006010611.tif 000015
【図４】
2006010611.tif 000016
【図５】
2006010611.tif 000017
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
物質間の相互作用の場を提供する反応領域内に、塩を含むＨＥＰＥＳ緩衝液を貯留又は保持させる相互作用検出方法。
【請求項２】
塩を含むＨＥＰＥＳ緩衝液の塩濃度を調整することによって、正に帯電した固相表面に対する負電荷を持つ物質の非特異的吸着を防止することを特徴とする請求項１記載の相互作用検出方法。
【請求項３】
前記の負電荷を持つ物質は、検出用核酸又は標的核酸が少なくとも含まれることを特徴とすることを特徴とする請求項２記載の相互作用検出方法。
【請求項４】
検出用核酸と標的核酸との間におけるハイブリダイゼーションの検出を、インターカレーターを用いて行う方法であって、
前記ハイブリダイゼーションの場を提供できる反応領域内に、塩を含むＨＥＰＥＳ緩衝液を貯留又は保持させるハイブリダイゼーション検出方法。
【請求項５】
前記塩を含むＨＥＰＥＳ緩衝液の塩濃度が、正に帯電した固相表面に対する負電荷を持つ物質の非特異的吸着を防止可能な濃度に調整されていることを特徴とする請求項４記載のハイブリダイゼーション検出方法。
【請求項６】
前記塩を含むＨＥＰＥＳ緩衝液とインターカレーターとが貯留又は保持された前記反応領域内の温度を、前記ハイブリダイゼーションに適した温度に調節する手順を含むことを特徴とする請求項４記載のハイブリダイゼーション検出方法。
【請求項７】
前記塩を含むＨＥＰＥＳ緩衝液のｐＨが酸性であることを特徴とする請求項４記載のハイブリダイゼーション検出方法。
【請求項８】
前記インターカレーターを、次の（１）〜（３）のいずれかの段階で前記反応領域内に入れることを特徴とする請求項４記載のハイブリダイゼーション検出方法。
（１）前記反応領域内の前記塩を含むＨＥＰＥＳ緩衝液へ前記標的核酸を添加する前段階。
（２）前記反応領域内の前記塩を含むＨＥＰＥＳ緩衝液へ前記標的核酸を添加する段階。
（３）前記ハイブリダイゼーションが進行している段階。
【請求項９】
物質間の相互作用の場を提供する反応領域と、前記反応領域内に貯留又は保持され、塩を含むＨＥＰＥＳ緩衝液を含有する媒質と、を少なくとも備える相互作用検出部。
【請求項１０】
請求項９記載の相互作用検出部を備えるバイオアッセイ用基板。
【請求項１１】
請求項９記載の相互作用検出部の反応領域内の温度を調節する温度制御手段と、物質間の相互作用を検出する手段と、を少なくとも備える相互作用検出装置。
【請求項１２】
検出用核酸と標的核酸との間におけるハイブリダイゼーションの場を提供する反応領域と、前記反応領域内に貯留又は保持され、塩を含むＨＥＰＥＳ緩衝液とインターカレーターとを含有する媒質と、を少なくとも備えるハイブリダイゼーション検出部。
【請求項１３】
前記反応領域内は、前記ハイブリダイゼーションに適した温度に調節可能な構成であることを特徴とする請求項１２記載のハイブリダイゼーション検出部。
【請求項１４】
前記塩を含むＨＥＰＥＳ緩衝液のｐＨが酸性であることを特徴とする請求項１２記載のハイブリダイゼーション検出部。
【請求項１５】
請求項１２記載のハイブリダイゼーション検出部を備えるＤＮＡチップ。
【請求項１６】
請求項１２記載のハイブリダイゼーション検出部の反応領域内の温度を調節する温度制御手段と、前記インターカレーターを蛍光励起し、該蛍光強度を検出する蛍光検出手段と、を少なくとも備えるハイブリダイゼーション検出装置。
【請求項１７】
物質間の相互作用検出用に調製された塩含有ＨＥＰＥＳ緩衝液又は該塩含有ＨＥＰＥＳ緩衝液を作製するための組成物を少なくとも備える試薬キット。
【請求項１８】
前記相互作用は、ハイブリダイゼーションであることを特徴とする請求項１７に記載の試薬キット。
【請求項１９】
前記ハイブリダイゼーションを検出するためのインターカレーターを備えることを特徴とする請求項１８記載の試薬キット。